(57)【要約】【課題】機能ブロックの固定を確実に行うとともに、部品点数を増やさずに、プッシュアウト方式で機能ブロックの着脱を容易に行えるようにする【解決手段】ケース（１）内の空間を縦方向の部分空間（１−３）に間仕切る仕切板（７）に操作部（７３）と板バネ部（７２）とを設ける。機能ブロック（４，５）のケース（１）の正面側の端部にケース（１）の奥行き方向に沿って所定の範囲で移動可能に基板ホルダ（４Ｄ，５Ｄ）を装着する。操作部（７３）がケース（１）の正面側からケース（１）の奥行き方向に向かって押し込まれている間は、板バネ部（７２）を撓ませて弾性力を蓄え、操作部（７３）の押し込みが解除されると、板バネ部（７２）に蓄えられた弾性力を解放させる。この板バネ部（７２）の弾性力の解放によって基板ホルダ（４Ｄ，５Ｄ）をケース（１）の正面の開口（１ａ）から突出させる。【選択図】  図１
2017092165.tif 000002
【特許請求の範囲】
【請求項１】
正面が開口とされたケースと、このケース内に設けられたマザーボードと、このマザーボードと電気的に接続される機能ブロックとを備えた電子機器において、
前記ケースの正面の開口に対向する方向を前記ケースの奥行き方向、この奥行き方向に直交する２方向の内の一方を前記ケースの縦方向、他方を前記ケースの横方向として、前記ケース内に装着され、前記ケースの奥行き方向および横方向に延在し、前記ケース内の空間を縦方向の部分空間に間仕切る仕切板と、
前記機能ブロックの正面側の端部にこの機能ブロックの一部として前記ケースの奥行き方向に沿って所定の範囲で移動可能に装着された基板ホルダとを備え、
前記マザーボードは、
前記ケースの正面の開口と対向する前記ケース内の奥の面に沿って装着され、
前記機能ブロックは、
前記縦方向の部分空間に前記ケースの奥行き方向に沿って装着され、
前記仕切板は、
前記ケースの正面側の先端部に、
前記ケースの正面側から操作される操作部と、
前記操作部が前記ケースの正面側から前記ケースの奥行き方向に向かって押し込まれている間は撓んで弾性力を蓄えるとともに、この操作部の押し込みが解除されると蓄えられた弾性力が解放され、この弾性力の解放によって前記基板ホルダを前記ケースの正面の開口から突出させる板バネ部とを備える
ことを特徴とする電子機器。
【請求項２】
請求項１に記載された電子機器において、
前記基板ホルダは、
前記仕切板の上面側に対向する下面に第１の係合部を備え、
前記板バネ部は、
前記基板ホルダの第１の係合部と係合する第２の係合部を備え、
前記第１の係合部と第２の係合部とは、
前記操作部が前記ケースの正面から突出している状態では第１の位置で係合され、
前記操作部が前記ケースの正面から突出している状態から押し込まれた状態では前記板バネ部が撓んで前記第１の位置よりも前記ケースの奥側の第２の位置で再係合され、
前記基板ホルダは、
前記操作部の押し込まれた状態が解除されると、前記板バネ部の元の状態への復帰に伴う前記第２の位置での前記第１の係合部との係合を維持した状態での前記第２の係合部の移動により、前記ケースの正面の開口から突出する
ことを特徴とする電子機器。
【請求項３】
請求項１に記載された電子機器において、
前記仕切板は、
前記ケースの正面の開口からの前記機能ブロックの前記縦方向の部分空間への装着を案内するガイド溝が形成されている
ことを特徴とする電子機器。
【発明の詳細な説明】
【技術分野】
【０００１】
本発明は、入力機器からのデータを取り入れて出力機器の動作を制御する制御装置などの電子機器に関する。
【背景技術】
【０００２】
従来より、この種の電子機器として、プロセスにおける温度・湿度・圧力・流量などを制御する制御装置が用いられている。この制御装置は、正面が開口とされたケースと、このケース内に設けられたマザーボードと、このマザーボードと電気的に接続される機能ブロックなどを備えている（例えば、特許文献１参照）。
【０００３】
こような制御装置において、機能ブロックの着脱を行う際、以下の方法が一般的に知られている。
(１)マイナスドライバーで係合部をこじる。
(２)取付ネジをドライバーで外す。
(３)スナップフィット係合を操作し、取り外す。
【先行技術文献】
【特許文献】
【０００４】
【特許文献１】特開２００１−０６０７７３号公報
【特許文献２】特開２００７−００４５３８号公報
【発明の概要】
【発明が解決しようとする課題】
【０００５】
しかしながら、上述した(１)，(２)の方法の場合、工具が必要となり、作業に慣れている者でないと誤った大きさの力を作用させ、機器を破損させる虞がある。また、盤内に計装されている機器の場合、工具使用時に隣接した機器の電源部に触れ、感電したり、不具合が発生するなどの虞がある。また、上述した(２)，（３）の方法の場合、機器の限られた寸法の中で、ネジやスナップフィット構造のための広いスペースを占めてしまう。そのため、機器の小型化が困難となる。また、部品点数に制限ある場合、（２）の方法は使用できない。
【０００６】
なお、特許文献２には、複数のモジュールを引き出し可能に収納するラックマウント装置が示されている。このラックマウント装置において、着脱を行うモジュールはハードディスクドライブといった比較的大型なものを想定しており、モジュールを引き出すためのスライドレールやハンドル、仮り止めの板バネなど、それぞれ別部品の組合せで対応することになる。そのため、コストが大幅に増加することが想定される。また、モジュールの固定にはネジを用いており、機器の破損や盤内作業における感電の懸念については考慮されていない。
【０００７】
また、モジュールを着脱可能に収容する方式として、プッシュアウト方式がある。プッシュアウト方式を採用した代表例としてＳＤカードスロットが挙げられる。プッシュアウト方式を採用しているほとんどのＳＤカードスロットの内部にはコイルバネが組み込まれており、このコイルバネの復元力を利用して押されたカードを手前に戻し、カードの取り外しを行う。このＳＤカードスロットに採用されている構造（プッシュアウト構造）を上述した制御装置（電子機器）に適用した場合、工具を使う必要はなくなるが、「部品点数の多さ」、「機能ブロックをしっかり固定した場合にプッシュアウトが困難になる」という問題が発生する。
【０００８】
本発明は、このような課題を解決するためになされたもので、その目的とするところは、機能ブロックの固定を確実に行うとともに、部品点数を増やさずに、プッシュアウト方式で機能ブロックの着脱を容易に行うことが可能な電子機器を提供することにある。
【課題を解決するための手段】
【０００９】
このような目的を達成するために本発明は、正面が開口とされたケースと、このケース内に設けられたマザーボードと、このマザーボードと電気的に接続される機能ブロックとを備えた電子機器において、ケースの正面の開口に対向する方向をケースの奥行き方向、この奥行き方向に直交する２方向の内の一方をケースの縦方向、他方をケースの横方向として、ケース内に装着され、ケースの奥行き方向および横方向に延在し、ケース内の空間を縦方向の部分空間に間仕切る仕切板と、機能ブロックの正面側の端部にこの機能ブロックの一部としてケースの奥行き方向に沿って所定の範囲で移動可能に装着された基板ホルダとを備え、マザーボードは、ケースの正面の開口と対向するケース内の奥の面に沿って装着され、機能ブロックは、縦方向の部分空間にケースの奥行き方向に沿って装着され、仕切板は、ケースの正面側の先端部に、ケースの正面側から操作される操作部と、操作部がケースの正面側からケースの奥行き方向に向かって押し込まれている間は撓んで弾性力を蓄えるとともに、この操作部の押し込みが解除されると蓄えられた弾性力が解放され、この弾性力の解放によって基板ホルダをケースの正面の開口から突出させる板バネ部とを備えることを特徴とする。
【００１０】
この発明において、ケース内の空間は仕切板によって縦方向の部分空間に間仕切られ、この間仕切られた縦方向の部分空間にケースの奥行き方向に沿って機能ブロックが装着される。本発明において、機能ブロックは、基板ホルダを備えている。この基板ホルダは、機能ブロックのケースの正面側の端部に、ケースの奥行き方向に沿って所定の範囲で移動可能に装着されている。また、仕切板は、ケースの正面側の先端部に、ケースの正面側から操作される操作部と板バネ部とを備えている。板バネ部は、操作部がケースの正面側からケースの奥行き方向に向かって押し込まれている間は撓んで弾性力を蓄え、操作部の押し込みが解除されると蓄えた弾性力を解放する。この板バネ部の弾性力の解放によって、基板ホルダがケースの正面の開口から突出する。
【００１１】
本発明では、一般的なプッシュアウト構造に用いられるコイルバネを使用するのではなく、板バネ部を使用する。この板バネ部は、ケースの正面側から操作される操作部とともに、ケースの内部空間を縦方向に仕切る仕切板に設ける。これにより、部品点数を増やさずに、プッシュアウト方式で機能ブロックの着脱を容易に行うことが可能となる。また、本発明では、機能ブロック全体ではなく、基板ホルダをプッシュアウト方式で先に突出させるので、すなわち機能ブロックとマザーボードとの電気的な接続を解除せずに基板ホルダだけをプッシュアウト方式で突出させるので、プッシュアウト構造に高い引出力を必要とせず、機能ブロックの固定を確実に行うことが可能となる。
【発明の効果】
【００１２】
本発明によれば、ケース内の空間を縦方向の部分空間に間仕切る仕切板に操作部と板バネ部とを設け、機能ブロックのケースの正面側の端部にケースの奥行き方向に沿って所定の範囲で移動可能に基板ホルダを装着し、操作部がケースの正面側からケースの奥行き方向に向かって押し込まれている間は板バネ部を撓ませて弾性力を蓄え、操作部の押し込みが解除されると板バネ部に蓄えられた弾性力を解放させ、この板バネ部の弾性力の解放によって基板ホルダをケースの正面の開口から突出させるようにしたので、機能ブロックの固定を確実に行うとともに、部品点数を増やさずに、プッシュアウト方式で機能ブロックの着脱を容易に行うことが可能となる。
【図面の簡単な説明】
【００１３】
【図１】図１は、本発明の実施の形態に係る制御装置（電子機器）の要部を示す分解斜視図である。
【図２】図２は、ケースに仕切板（縦）と仕切板（横）を設置した状態を示す斜視図である。
【図３】図３は、機能ブロックに装着された基板ホルダの移動可能範囲を示す図である。
【図４】図４は、基板ホルダを装着する前の機能ブロック（端子台およびコネクタが取り付けられた機能ブロック子基板）を示す斜視図である。
【図５】図５は、単体の基板ホルダを示す斜視図である。
【図６】図６は、基板ホルダを装着した機能ブロックを示す斜視図である。
【図７】図７は、基板ホルダの正面図、右側面図、左側面図、底面図、平面図である。
【図８】図８は、図７における基板ホルダの右側面図を矢印Ｃ方向から見た図である。
【図９】図９は、機能ブロック子基板を横から見た図である。
【図１０】図１０は、仕切板（横）の平面図、右側面図、左側面図および正面図である。
【図１１】図１１は、ケースにメインユニットおよび機能ブロックを装着した状態を示す正面図である。
【図１２】図１２は、図１１におけるＩ−Ｉ線断面図である。
【図１３】図１３は、図１１におけるII−II線断面図である。
【図１４Ａ】図１４Ａは、ケースから機能ブロックを取り出す際の手順１を説明する図である。
【図１４Ｂ】図１４Ｂは、ケースから機能ブロックを取り出す際の手順２を説明する図である。
【図１４Ｃ】図１４Ｃは、ケースから機能ブロックを取り出す際の手順３を説明する図である。
【図１５Ａ】図１５Ａは、図１２におけるＡ部の拡大図である。
【図１５Ｂ】図１５Ｂは、基板ホルダの左下から飛び出している仕切板（横）の凸部を奥まで押し込んだ状態を示す図である。
【図１５Ｃ】図１５Ｃは、凸部の押し込みを解除した状態を示す図である。
【図１６Ａ】図１６Ａは、図１３におけるＢ部の拡大図である。
【図１６Ｂ】図１６Ｂは、板バネ部の弾性力の解放によって基板ホルダが手前に突き出た状態を示す図である。
【図１６Ｃ】図１６Ｃは、基板ホルダの引き出しが規制された状態を示す図である。
【図１６Ｄ】図１６Ｄは、力を入れて基板ホルダを機能ブロック子基板とともに手前に引き出した状態を示す図である。
【発明を実施するための形態】
【００１４】
以下、本発明の実施の形態を図面に基づいて詳細に説明する。図１は、本発明の実施の形態に係る制御装置（電子機器）の要部を示す分解斜視図である。
【００１５】
この制御装置１００は、正面が開口１ａとされた樹脂部材よりなるケース１と、このケース１内に設けられるマザーボード２と、このマザーボード２と電気的に接続されるメインユニット３と、第１の機能ブロック４と、第２の機能ブロック５とを備えている。この例では、第１の機能ブロック４として機能ブロック４−１，４−２を備え、第２の機能ブロック５として機能ブロック５−１〜５−６を備えている。
【００１６】
この制御装置１００において、マザーボード２は、ケース１の正面の開口１ａに対向する方向（図１に示すＺ方向）をケース１の奥行き方向、この奥行き方向に直交する２方向の内の一方（図１に示すＸ方向）をケース１の縦方向、他方（図１に示すＹ方向）をケース１の横方向とし、ケース１の正面の開口１ａと対向するケース１内の奥の面１ｂに沿って装着されている。
【００１７】
また、この制御装置１００において、ケース１内の空間は、図２に示すように、樹脂部材よりなる第１の仕切板６によって横方向の部分空間１−１と１−２とに間仕切られている。また、横方向の部分空間１−２は、第２の仕切板７によって縦方向の部分空間（スロット（小開口））１−３に間仕切られている。この例では、３つの第２の仕切板７（７−１，７−２，７−３）によって、４つの縦方向の部分空間１−３（１−３１〜１−３４）に間仕切られている。
【００１８】
第１の仕切板６は、その板面を縦にして、すなわちケース１の奥行き方向および縦方向に延在させるようにして、ケース１内の空間に設置されている。第２の仕切板７（７−１，７−２，７−３）は、その板面を横にして、すなわちケース１の奥行き方向および横方向に延在させるようにして、横方向の部分空間１−２に等間隔で設置されている。以下、第１の仕切板６を仕切板（縦）と呼び、第２の仕切板７（７−１，７−２，７−３）を仕切板（横）と呼ぶ。この２つの仕切板（縦）６と仕切板（横）７のうち仕切板（横）７が本発明でいう仕切板に相当する。
【００１９】
この制御装置１００において、メインユニット３は、その前方（ケース１の正面側）に端子台ユニット３Ｂが取り付けられたメイン基板３Ａを備え、ケース１の横方向の部分空間１−１にケース１の奥行き方向に沿って装着される。
【００２０】
また、この制御装置１００において、第１の機能ブロック４（４−１，４−２）は、機能ブロック子基板４Ａと、機能ブロック子基板４Ａの前方（ケース１の正面側）に取り付けられたコネクタ（ソケット）４Ｂと、機能ブロック子基板４Ａの後方（ケース１の奥側）に取り付けられたコネクタ４Ｃと、コネクタ４Ｂを覆うようにして取り付けられた基板ホルダ４Ｄとから構成されている。
【００２１】
なお、コネクタ４Ｂは入出力の信号線との接続用のコネクタとして設けられており、コネクタ４Ｃはマザーボード２との接続用のコネクタとして設けられている。また、基板ホルダ４Ｄは、ケース１の奥行き方向に沿って所定の範囲で移動可能に、機能ブロック４のケース１の正面側の端部に機能ブロック４の一部として装着されている。
【００２２】
図３に機能ブロック４に装着された基板ホルダ４Ｄの移動可能範囲（図３に示すＷ）を示す。図３（ａ）は基板ホルダ４Ｄを奥に押し込んだ状態を示し、図３（ｂ）は基板ホルダ４Ｄを手前に引き出した状態を示す。
【００２３】
基板ホルダ４Ｄには、その上面に、突起４ａと開口４ｂが設けられている。開口４ｂはケース１の奥行き方向に長い矩形状の開口とされており、突起４ａは開口４ｂのケース１の奥側の端部に対し、横にずらした位置に設けられている。なお、図３には示されていないが、基板ホルダ４Ｄの下面にも、上面と同様、突起４ａと開口４ｂが設けられている。
【００２４】
機能ブロック子基板４Ａには、その上側（上側の側面）および下側（下側の側面）に、基板ホルダ４Ｄの開口４ｂに入る爪４ｃが形成されている。基板ホルダ４Ｄを手前に引き出すと、機能ブロック子基板４Ａの爪４ｃが基板ホルダ４Ｄの開口４ｂのケース１の奥側の端部に当接し、基板ホルダ４Ｄの手前への引き出しが規制される。図３（ｂ）は、機能ブロック子基板４Ａの爪４ｃが基板ホルダ４Ｄの開口４ｂのケース１の奥側の端部に当接することによって、基板ホルダ４Ｄの手前への引き出しが規制されている状態を示している。基板ホルダ４Ｄの下面（左下）には突起４ｄが形成されている。
【００２５】
また、この制御装置１００において、第２の機能ブロック５（５−１〜５−６）は、機能ブロック子基板５Ａと、機能ブロック子基板５Ａの前方（ケース１の正面側）に取り付けられた端子台５Ｂと、機能ブロック子基板５Ａの後方（ケース１の奥側）に取り付けられたコネクタ５Ｃと、端子台５Ｂを覆うようにして取り付けられた基板ホルダ５Ｄとから構成されている。
【００２６】
基板ホルダ５Ｄは、第１の機能ブロック４における基板ホルダ４Ｄと同様、ケース１の奥行き方向に沿って所定の範囲で移動可能に、機能ブロック５のケース１の正面側の端部に機能ブロック５の一部として装着されている。なお、端子台５Ｂは入出力の信号線との接続用の端子台（差込式の端子台）として設けられており、コネクタ５Ｃはマザーボード２との接続用のコネクタとして設けられている。
【００２７】
図４に基板ホルダ５Ｄを装着する前の機能ブロック（端子台５Ｂおよびコネクタ５Ｃが取り付けられた機能ブロック子基板５Ａ）を示し、図５に単体の基板ホルダ５Ｄを示す。図６に基板ホルダ５Ｄを装着した機能ブロック５を示す。
【００２８】
また、図７に基板ホルダ５Ｄの正面図（図７（ａ））、右側面図（図７（ｂ））、左側面図（図７（ｃ））、底面図（図７（ｄ））、平面図（図７（ｅ））を示し、図８に基板ホルダ５Ｄの背面図（図７（ｂ）を矢印Ｃ方向から見た図）を示す。また、図９に機能ブロック子基板５Ａ（コネクタ５Ｂ，５Ｃが取り付けられる前の機能ブロック子基板５Ａ）の正面図を示す。
【００２９】
この機能ブロック５においても、機能ブロック４と同様、基板ホルダ５Ｄの上面および下面に突起５ａと開口５ｂが設けられ、機能ブロック子基板５Ａの上側（上側の側面）および下側（下側の側面）に基板ホルダ５Ｄの開口５ｂに入る爪５ｃが形成されている。基板ホルダ５Ｄを手前に引き出すと、機能ブロック子基板５Ａの爪５ｃが基板ホルダ５Ｄの開口５ｂのケース１の奥側の端部に当接し、基板ホルダ５Ｄの手前への引き出しが規制される。
【００３０】
図１０に仕切板（横）７（７−１，７−２，７−３）の平面図（図７（ａ））、右側面図（図１０（ｂ））、左側面図（図１０（ｃ））および正面図（図１０（ｄ））を示す。仕切板（横）７の左側の側面（ケース１の奥行き方向に延在する一方の側面）７ａには、前後２箇所に凸部７ａ１が形成され、後方に前後方向に撓む爪部７ａ２が形成されている。仕切板（横）７は、この左側の側面７ａに形成されている凸部７ａ１と爪部７ａ２を係合部として、仕切板（縦）６の壁面に取り付けられる。
【００３１】
また、仕切板（横）７の右側の側面（ケース１の奥行き方向に延在する他方の側面）７ｂには、ネジ穴７ｂ１と左右方向に撓む爪部７ｂ２とが設けられている。仕切板（横）７は、この右側の側面７ｂに形成されている爪部７ｂ２を係合部として、またネジ穴７ｂ１にケース１の外側からネジを螺着して、ケース１の壁面に固定される。
【００３２】
また、仕切板（横）７の上面（表面）には、ケース１の奥行き方向に沿って、２本のガイド溝７ｃ（７ｃ１，７ｃ２）が形成されている。仕切板（横）７の下面（裏面）にも、上面（表面）と同様に、ケース１の奥行き方向に沿って、２本のガイド溝７ｃ（７ｃ３，７ｃ４）が形成されている。
【００３３】
また、仕切板（横）７の正面側の端部には、ガイド溝７ｃ１，７ｃ３の入口部に上下方向に撓む板バネ部７１（７１−１）が、またガイド溝７ｃ２，７ｃ４の入口部に上下方向に撓む板バネ部７１（７１−２）が、第１の板バネ部として形成されている。第１の板バネ部７１（７１−１，７１−２）には、その板バネ７１ｂの前方に角穴７１ｂが、後方に長孔（ケース１の奥行き方向へ長い矩形状の孔）７１ｃが形成されている。
【００３４】
また、仕切板（横）７の正面側の先端部には、右側の板バネ部７１（７１−１）とセットとして用いられる板バネ部７２（７２−１）が、また左側の板バネ部７１（７１−２）とセットとして用いられる板バネ部７２（７２−２）が、第２の板バネ部として形成されている。第２の板バネ部７２（７２−１，７２−２）は、上下方向および前後方向（ケース１の奥行き方向）に撓む板バネ７２ａを有しており、この板バネ７２ａにはその上側の端部に突起７２ｂが形成されている。この第２の板バネ部７２が本発明でいう板バネ部に相当する。
【００３５】
また、第２の板バネ部７２（７２−１，７２−２）には、板バネ７２ａの前面に、操作部として凸部７３（７３−１，７３−２）が形成されている。この凸部７３（７３−１，７３−２）は、仕切板（横）７をケース１に装着した状態において、ケース１の正面の開口１ａよりも外側に位置する。すなわち、仕切板（横）７をケース１に装着した状態において、凸部７３（７３−１，７３−２）はケース１の正面の開口１ａよりも外に飛び出た位置に位置する。この凸部７３は、板バネ７２ａと一体として設けられているが、別体として設けられていてもよい。この凸部７３が本発明でいう操作部に相当する。
【００３６】
なお、図２に示されるように、ケース１の横方向の部分空間１−２の天井面１ｃには、仕切板（横）７−１に形成されている板バネ部７１−１，７１−２に対応する位置に、板バネ部７１−１，７１−２と同様の板バネ部７１−３，７１−４が第１の板バネ部７１として形成されている。また、ケース１の横方向の部分空間１−２の底面１ｄの形状は、仕切板（横）７の上面（表面）形状と同じとされている。すなわち、ケース１の横方向の部分空間１−２の底面１ｄにも、仕切板（横）７と同様、第１の板バネ部７１（７１−１，７１−２）や第２の板バネ部７２（７２−１，７２−２）、操作部７３（７３−１，７３−２）などが設けられている。
【００３７】
この制御装置１００において、機能ブロック４−１，４−２は、ケース１の縦方向の部分空間１−３１にケース１の奥行き方向に沿って装着される。また、機能ブロック５−１，５−２は、ケース１の縦方向の部分空間１−３２にケース１の奥行き方向に沿って装着され、機能ブロック５−３，５−４は、ケース１の縦方向の部分空間１−３３にケース１の奥行き方向に沿って装着され、機能ブロック５−５，５−６は、ケース１の縦方向の部分空間１−３４にケース１の奥行き方向に沿って装着される。
【００３８】
図１１にメインユニット３、第１の機能ブロック４−１，４−２、第２の機能ブロック５−１〜５−６をケース１に装着した状態を示す。図１２に図１１におけるＩ−Ｉ線断面図を、図１３に図１１におけるII−II線断面図を示す。
【００３９】
〔第１の機能ブロックの装着〕  
第１の機能ブロック４−１をケース１の縦方向の部分空間１−３１に装着した状態では、すなわち機能ブロック４−１をケース１の縦方向の部分空間１−３１に挿入し、この機能ブロック４−１に装着されている基板ホルダ４Ｄを奥まで押し込んだ状態では、機能ブロック子基板４Ａの後方に取り付けられているコネクタ４Ｃとマザーボード２に設けられているコネクタ８（８−１）とが嵌め合わされる（図１２参照）。
【００４０】
また、機能ブロック子基板４Ａの上側および下側に形成されている爪４ｃが、ケース１の天井面１ｃの第１の板バネ部７１（７１−３）および仕切板（横）７−１の第１の板バネ部７１（７１−１）の角孔７１ｂに入り込む（図１３参照）。これにより、基板ホルダ４Ｄとともに縦方向の部分空間１−３１に押し込まれた機能ブロック子基板４Ａが、縦方向の部分空間１−３１内に固定される。
【００４１】
また、縦方向の部分空間１−３１に押し込まれた基板ホルダ４Ｄは、その上面および下面に形成されている突起４ａが、ケース１の天井面１ｃの第１の板バネ部７１（７１−３）および仕切板（横）７−１の第１の板バネ部７１（７１−１）の板バネ７１ａを上方および下方に撓ませて、長孔７１ｃに入り込む（図１３参照）。また、基板ホルダ４Ｄの下面に設けられている突起４ｄが、仕切板（横）７−１の第２の板バネ部７２（７２−１）の板バネ７２ａを下方に撓ませて、突起７２ｂを乗り越え、突起７２ａの裏側（ケース１の奥側）に位置する（図１２参照）。
【００４２】
これにより、機能ブロック子基板４Ａとともに縦方向の部分空間１−３１に押し込まれた基板ホルダ４Ｄが、縦方向の部分空間１−３１内に固定される。この場合、板バネ７２ａの前面に形成されている凸部７３（７３−１）は、ケース１の開口１ａから外に飛び出た状態となる。すなわち、図１１，図１２，図１３に示されるように、ケース１の正面と面一となるまで基板ホルダ４Ｄが縦方向の部分空間１−３１に押し込まれ、基板ホルダ４Ｄの左下から凸部７３（７３−１）が飛び出た状態となる。
【００４３】
なお、機能ブロック４−１の縦方向の部分空間１−３１におけるケース１の奥行き方向への移動は、仕切板（横）７−１の上面（表面）に形成されているガイド溝７ｃ１と、このガイド溝７ｃ１に対応してケース１の天井面１ｃに形成されているガイド溝（図示せず）とによって案内される。また、機能ブロック４−１と同様にして、機能ブロック４−２もケース１の縦方向の部分空間１−３１に装着される。
【００４４】
〔第２の機能ブロックの装着〕
第２の機能ブロック５−１をケース１の縦方向の部分空間１−３２に装着した状態では、すなわち機能ブロック５−１をケース１の縦方向の部分空間１−３２に挿入し、この機能ブロック５−１に装着されている基板ホルダ５Ｄを奥まで押し込んだ状態では、機能ブロック子基板５Ａの後方に取り付けられているコネクタ５Ｃとマザーボード２に設けられているコネクタ８（８−２）とが嵌め合わされる（図１２参照）。
【００４５】
また、機能ブロック子基板５Ａの上側および下側に形成されている爪５ｃが、仕切板（横）７−１の第１の板バネ部７１（７１−１）および仕切板（横）７−２の第１の板バネ部７１（７１−１）の板バネ７１ａの角孔７１ｂに入り込む（図１３参照）。これにより、基板ホルダ５Ｄとともに縦方向の部分空間１−３２に押し込まれた機能ブロック子基板５Ａが、縦方向の部分空間１−３２に固定される。
【００４６】
また、縦方向の部分空間１−３２に押し込まれた基板ホルダ５Ｄは、その上面および下面に形成されている突起５ａが、仕切板（横）７−１の第１の板バネ部７１（７１−１）および仕切板（横）７−２の第１の板バネ部７１（７１−１）の板バネ７１ａを上方および下方に撓ませて、長孔７１ｃに入り込む（図１３参照）。また、基板ホルダ５Ｄの下面に設けられている突起５ｄが、仕切板（横）７−２の第２の板バネ部７２（７２−１）の板バネ７２ａを下方向に撓ませて、突起７２ｂを乗り越え、突起７２ａの裏側（ケース１の奥側）に位置する（図１２参照）。
【００４７】
これにより、機能ブロック子基板５Ａとともに縦方向の部分空間１−３２に押し込まれた基板ホルダ５Ｄが、縦方向の部分空間１−３２内に固定される。この場合、板バネ７２ａの前面に形成されている凸部７３（７３−１）は、ケース１の開口１ａから外に飛び出た状態となる。すなわち、図１１，図１２，図１３に示されるように、ケース１の正面と面一となるまで基板ホルダ５Ｄが縦方向の部分空間１−３２に押し込まれ、基板ホルダ５Ｄの左下から凸部７３（７３−１）が飛び出た状態となる。
【００４８】
なお、機能ブロック５−１の縦方向の部分空間１−３２におけるケース１の奥行き方向への移動は、仕切板（横）７−２の上面（表面）に形成されているガイド溝７ｃ１と、このガイド溝７ｃ１に対応して仕切板（横）７−１の下面（裏面）に形成されているガイド溝７ｃ３とによって案内される。また、機能ブロック５−１と同様にして、機能ブロック５−２もケース１の縦方向の部分空間１−３２に装着される。また、機能ブロック５−１，５−２と同様にして、ケース１の縦方向の部分空間１−３３に機能ブロック５−３，５−４が装着され、ケース１の縦方向の部分空間１−３４に機能ブロック５−５，５−６が装着される。
【００４９】
〔機能ブロックの取り出し〕
次に、ケース１からの機能ブロック４，５の取り出しについて説明する。なお、機能ブロック４も機能ブロック５もケース１からの取り出し方は同じなので、以下では縦方向の部分空間１−３２に装着されている機能ブロック５−１を代表して説明する。
【００５０】
図１４Ａ、図１４Ｂ、図１４Ｃにケース１から機能ブロック５−１を取り出す際の手順１，２，３を示す。図１５Ａに図１２におけるＡ部の拡大図を示し、図１６Ａに図１３におけるＢ部の拡大図を示す。
【００５１】
機能ブロック５−１をケース１から取り出す場合、先ず、図１４Ａに示すように、機能ブロック５−１に装着されている基板ホルダ５Ｄの左下に飛び出している凸部７３を指などで奥に押し込む（手順１）。
【００５２】
すなわち、図１５Ａに示された状態から、機能ブロック５−１に装着されている基板ホルダ５Ｄの左下に飛び出している凸部７３(７３−１)を奥に押し込んで、仕切板（横）７−２に形成されている第２の板バネ部７２（７２−１）の板バネ７２ａをケース１の奥行き方向に撓ませる。
【００５３】
この状態では、板バネ７２ａの上側の端部に形成されている突起７２ｂは、基板ホルダ５Ｄの下面に設けられている突起５ｄの前側（ケース１の正面側（第１の位置））に位置している。
【００５４】
凸部７３(７３−１)をカチッと音が鳴るまで押し込むと、板バネ７２ａの上側の端部に形成されている突起７２ｂが基板ホルダ５Ｄの下面に設けられている突起５ｄを乗り越え、突起５ｄの裏面側（ケース１の奥側（第２の位置））に位置する（図１５Ｂ参照）。すなわち、突起５ｄの裏面側を第２の位置として、板バネ７２ａの上側の端部に形成されている突起７２ｂと基板ホルダ５Ｄの突起５ｄとが再係合する。一方、板バネ７２ａは、撓むことによって弾性力を蓄える。
【００５５】
凸部７３(７３−１)の押し込みを解除すると、板バネ７２ａが蓄えている弾性力が解放され、板バネ７２ａが元の位置に戻ろうとする。この際、板バネ７２ａの上側の端部に形成されている突起７２ｂが基板ホルダ５Ｄの下面に設けられている突起５ｄに引っ掛かり（図１５Ｃ参照）、突起７２ｂが突起５ｄの裏面側に置した状態で、すなわち突起７２ｂと突起５ｄとの第２の位置（突起５ｄの裏面側）での係合を維持した状態で、基板ホルダ５Ｄが手前に引き出される（図１４Ｂ参照（手順２））。
【００５６】
この場合、図６に示されるように、基板ホルダ５Ｄの開口５ｂに機能ブロック子基板５Ａの爪５ｃが入っており、この爪５ｃが入った開口５ｂを案内溝として基板ホルダ５Ｄがスライドするため（図１６Ｂ参照）、板バネ７２ａのような弱い力であっても、基板ホルダ５Ｄを簡単に手前に突き出すことができる。
【００５７】
すなわち、本実施の形態では、機能ブロック５−１全体ではなく、基板ホルダ５Ｄをプッシュアウト方式で先にケース１の開口１ａから突出させる構造（プッシュアウト構造）としているので、プッシュアウト構造に高い引出力を必要とすることがない。また、この場合、機能ブロック５−１とマザーボードと２の電気的な接続は解除されないので、機能ブロック５−１のケース１の縦方向の部分空間１−３２内における固定された状態は維持される。
【００５８】
基板ホルダ５Ｄをそのまま手前に引き出すと、機能ブロック子基板５Ａの上側および下側の爪５ｃが基板ホルダ５Ｄの上面および下面の開口５ｂのケース１の奥側の端部に当接し（図１６Ｃ参照）、基板ホルダ５Ｄの手前への引き出しが規制される。
【００５９】
この状態において、基板ホルダ５Ｄの上面および下面の突起５ａは、仕切板（横）７−１および７−２に形成されている第１の板バネ部７１（７１−１）の板バネ７１ａを上側および下側に撓ませて長孔７１ｃから脱する。また、仕切板（横）７−１および７−２に形成されている第１の板バネ部７１（７１−１）の板バネ７１ａが上側および下側に撓むことから、機能ブロック子基板５Ａの上側および下側の爪５ｃが角孔７１ｂから脱する。
【００６０】
この基板ホルダ５Ｄの手前への引き出しが規制された状態から、力を入れて基板ホルダ５Ｄをさらに手前に引くと、機能ブロック子基板５Ａの上側および下側の爪５ｃと基板ホルダ５Ｄの上面および下面の開口５ｂのケース１の奥側の端部との当接を維持した状態で、すなわち基板ホルダ５Ｄの上面および下面の開口５ｂのケース１の奥側の端部に機能ブロック子基板５Ａの上側および下側の爪５ｃを引っ掛けた状態で、基板ホルダ５Ｄが機能ブロック子基板５Ａとともに手前に引き出される（図１６Ｄ）。
【００６１】
この際、機能ブロック子基板５Ａの後方に設けられているコネクタ５Ｃとマザーボード２に設けられているコネクタ８−２との嵌合が外れ、機能ブロック５−１とマザーボード２との電気的な接続が解除される。また、仕切板（横）７−１および７−２に形成されている第１の板バネ部７１（７１−１）の板バネ７１ａは、基板ホルダ５Ｄが機能ブロック子基板５Ａとともに手前に引き出されることによって、上側および下側に撓んでいた状態から元の状態に戻る。
【００６２】
このようにして、本実施の形態では、図１６Ｃに示された状態から力を入れて基板ホルダ５Ｄを手前に引くことによって、基板ホルダ５Ｄを機能ブロック子基板５Ａとともに手前に引き出し、機能ブロック子基板５Ａとマザーボード２との電気的な接続（コネクタ接続）を解除して、機能ブロック５−１をケース１の縦方向の部分空間１−３２から取り出すことができる（図１４Ｃ参照（手順３））。
【００６３】
以上の説明から分かるように、本実施の形態では、一般的なプッシュアウト方式に用いられるコイルバネを使用するのではなく、仕切板（横）７に設けられている板バネ部７１を使用することにより、部品点数を増やさずに、機能ブロック５（４）の着脱を容易に行うことができる。また、機能ブロック５（４）全体ではなく、基板ホルダ５Ｄ（４Ｄ）をプッシュアウト方式で先に突出させるので、すなわち機能ブロック５（４）とマザーボード２との電気的な接続を解除せずに基板ホルダ５Ｄ（４Ｄ）だけをプッシュアウト方式で突出させるので、プッシュアウト構造に高い引出力を必要とせず、機能ブロック５（４）の固定を確実に行うことができる。
【００６４】
また、本実施の形態において、基板ホルダ５Ｄ（４Ｄ）は、ケース１の奥行き方向に沿って所定の範囲（移動可能範囲Ｗ）で移動可能とされている。この場合、基板ホルダ５Ｄ（４Ｄ）を所定の力以上でケース１の正面の開口１ａから引き出さなければ、機能ブロック５（４）とマザーボード２との電気的な接続（コネクタ接続）は解除されない。すなわち、配線引っ張り等の力が作用しても、その力が所定の力以上でなければ、仕切板（横）７と機能ブロック５（４）との係合は解除されず、機能ブロック５（４）が簡単に外れることはない。
【００６５】
また、本実施の形態では、基板ホルダ５Ｄ（４Ｄ）をプッシュアウト方式で手前に突出させた後、所定の力以上でケース１の正面の開口１ａから基板ホルダ５Ｄ（４Ｄ）を引き出すと、仕切板（横）７と機能ブロック５（４）との係合が解除される。これにより、機能ブロック５（４）のケース１の正面の開口１ａからの引き出し、および機能ブロック５（４）とマザーボード２との電気的な接続の解除を容易にかつ慎重に行うことができるようになる。
【００６６】
なお、上述した実施の形態では、縦方向の部分空間１−３１の全てに、機能ブロックを装着するものとしたが、必ずしも縦方向の部分空間１−３の全てに機能ブロックを装着するようにしなくてもよい。すなわち、縦方向の部分空間１−３の内、少なくとも１つに機能ブロックが装着されていればよく、残りは空きスロットとしてもよい。
【００６７】
また、上述した実施の形態では、仕切板（縦）６を１つとしたが、仕切板（縦）６をさらに設け、横方向の部分空間を増やすようにしてもよい。また、上述した実施の形態では、仕切板（横）７を３つとしたが、仕切板（横）７をさらに設け、縦方向の部分空間を増やすようにしてもよい。また、仕切板（横）７は必ずしも複数である必要はなく、１つであっても構わない。
【００６８】
また、上述した実施の形態では、機能ブロック子基板４Ａや５Ａの前方にコネクタ４Ｂや端子台５Ｂを取り付けるものとしたが、このコネクタ４Ｂや端子台５Ｂに変えてＬＥＤ（Light Emitting Diode）などから構成される表示部などを設けるようにしてもよい。
【００６９】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【産業上の利用可能性】
【００７０】
本発明は、入力機器からのデータを取り入れて出力機器の動作を制御する制御装置などの電子機器として、温度調節器などに利用することができる。
【符号の説明】
【００７１】
１…ケース、１ａ…開口、１ｂ…奥の面、１−１，１−２…横方向の部分空間、１−３（１−３１〜１−３４）…縦方向の部分空間（スロット）、４（４−１，４−２）…第１の機能ブロック、５（５−１〜５−６）…第２の機能ブロック、４Ａ，５Ａ…機能ブロック子基板、４Ｂ…コネクタ、５Ｂ…端子台、４Ｃ，５Ｃ…コネクタ、４Ｄ，５Ｄ…基板ホルダ、４ａ，５ａ…突起、４ｂ，５ｂ…開口、４ｃ，５ｃ…爪、４ｄ，５ｄ…突起、６…第１の仕切板（仕切板（縦））、７（７−１〜７−４）…第２の仕切板（仕切板（横））、７ｃ（７ｃ１〜７ｃ４）…ガイド溝、７１（７１−１〜７１−４）…第１の板バネ部、７１ａ…板バネ、７１ｂ…角穴、７１ｃ…長孔、７２（７２−１，７２−２）…第２の板バネ部、７２ａ…板バネ、７２ｂ…突起、７３（７３−１，７３−２）…凸部、１００…制御装置。
【図１】
2017092165.tif 000003
【図２】
2017092165.tif 000004
【図３】
2017092165.tif 000005
【図４】
2017092165.tif 000006
【図５】
2017092165.tif 000007
【図６】
2017092165.tif 000008
【図７】
2017092165.tif 000009
【図８】
2017092165.tif 000010
【図９】
2017092165.tif 000011
【図１０】
2017092165.tif 000012
【図１１】
2017092165.tif 000013
【図１２】
2017092165.tif 000014
【図１３】
2017092165.tif 000015
【図１４Ａ】
2017092165.tif 000016
【図１４Ｂ】
2017092165.tif 000017
【図１４Ｃ】
2017092165.tif 000018
【図１５Ａ】
2017092165.tif 000019
【図１５Ｂ】
2017092165.tif 000020
【図１５Ｃ】
2017092165.tif 000021
【図１６Ａ】
2017092165.tif 000022
【図１６Ｂ】
2017092165.tif 000023
【図１６Ｃ】
2017092165.tif 000024
【図１６Ｄ】
2017092165.tif 000025